(57)【要約】【課題】液体に含まれる異物がロータ室のロータの外周に付着するのを抑制する。【解決手段】キャンドポンプ１では、ポンプ室２１と、ロータ７が設けられたロータ室３２と、が連通して設けられ、ロータ室３２からポンプ室２１に亘ってシャフト９が設けられている。シャフト９にシャフト孔９５が貫通形成され、ロータ７が、シャフト９を回転軸としてシャフト９に固定されている。ロータ７にロータ孔７４が貫通形成されている。このキャンドポンプ１では、ポンプ室２１とロータ室３２とを液体で満たした状態で、ポンプ室２１から液体がロータ室３２に流れ、ロータ室３２に流れた液体が、ロータ７のロータ孔７４を通りシャフト９のシャフト孔９５に流れてポンプ室２１に戻る循環流路１５を有する。【選択図】図１
2011174410.tif 000002
【特許請求の範囲】
【請求項１】
キャンドポンプにおいて、
ポンプ室と、ロータが設けられたロータ室とが連通して設けられ、前記ロータ室から前記ポンプ室に亘ってシャフトが設けられ、
前記シャフトに、シャフト孔が貫通形成され、
前記ロータが、前記シャフトを回転軸として前記シャフトに固定され、前記ロータに、ロータ孔が貫通形成され、
前記ポンプ室と前記ロータ室とを液体で満たした状態で、前記ポンプ室から液体が前記ロータ室に流れ、前記ロータ室に流れた液体が、前記ロータのロータ孔を通り前記シャフトのシャフト孔に流れて前記ポンプ室に戻る循環流路を有するキャンドポンプ。
【請求項２】
請求項１に記載のキャンドポンプにおいて、
前記シャフト孔は、前記シャフトの軸方向に沿って形成されたキャンドポンプ。
【請求項３】
請求項１または２に記載のキャンドポンプにおいて、
前記ポンプ室に、羽根車が設けられ、
前記羽根車が、前記シャフトを回転軸として前記シャフトまたは前記ロータに固定され、
前記循環流路では、前記ポンプ室と前記ロータ室とを液体で満たした状態で、前記ロータを回転駆動させ、前記ロータの回転により前記羽根車を回転させた際、前記ポンプ室から液体が前記ロータ室に流れ、前記ロータ室に流れた液体が、前記ロータのロータ孔を通り前記シャフトのシャフト孔に流れて前記ポンプ室に戻るキャンドポンプ。
【請求項４】
キャンドポンプにおいて、
羽根車が設けられたポンプ室と、ロータが設けられたロータ室と、が連通して設けられ、前記ロータ室から前記ポンプ室に亘ってシャフトが設けられ、
軸受と前記羽根車と前記ロータとが一体的に設けられ、前記羽根車と前記ロータとが前記シャフトを回転軸とし前記軸受を介して回転し、
前記ロータに、ロータ孔が貫通形成され、
前記ポンプ室と前記ロータ室とを液体で満たした状態で、前記ポンプ室から液体が前記ロータ室に流れ、前記ロータ室に流れた液体が、前記ロータのロータ孔を通り、前記軸受と前記シャフトとの摺動面に流れて前記ポンプ室に戻る循環流路を有するキャンドポンプ。
【請求項５】
請求項１乃至４のうちいずれか１つに記載のキャンドポンプにおいて、
前記ロータ孔は、前記ロータの回転軸方向に沿って形成されたキャンドポンプ。
【請求項６】
請求項５に記載のキャンドポンプにおいて、
前記ロータ孔は、前記ロータの回転軸を軸にして、前記ロータの回転方向に螺旋状に形成されたキャンドポンプ。
【請求項７】
請求項１乃至６のうちいずれか１つに記載のキャンドポンプにおいて、
前記ロータ孔の開口端は、円形に形成されたキャンドポンプ。
【請求項８】
請求項１乃至６のうちいずれか１つに記載のキャンドポンプにおいて、
前記ロータ孔の開口端は、扇形に形成されたキャンドポンプ。
【請求項９】
請求項１乃至８のうちいずれか１つに記載のキャンドポンプにおいて、
前記ポンプ室と前記ロータ室との間に、前記ポンプ室と前記ロータ室とを隔てるブラケットが設けられ、
液体中に含まれる異物を液体から分離させて集積する集積部の集積入口が前記ブラケットに形成されたキャンドポンプ。
【請求項１０】
請求項９に記載のキャンドポンプにおいて、
前記ブラケットに、前記ポンプ室と前記ロータ室とを連通する連通孔が形成され、
前記ブラケットの中心に、前記シャフトが配され、
前記集積入口は、前記連通孔よりも前記ブラケットの中心から外方に配されたキャンドポンプ。
【発明の詳細な説明】
【技術分野】
【０００１】
本発明は、キャンドポンプに関する。
【背景技術】
【０００２】
キャンドポンプとして、羽根車が設けられたポンプ室と、羽根車を駆動するロータが設けられたロータ室と、が連通して設けられたポンプがあり、このポンプによれば、運転時、ポンプ室およびロータ室は、液体に満たされている（例えば、特許文献１参照。）。
【０００３】
特許文献１に記載のキャンドポンプでは、ポンプ室とロータ室とを液体で満たした状態でロータを回転駆動させ、この回転駆動によりシャフトを介して羽根車を回転させている。羽根車を回転させることで、液体がポンプ室からロータ室に流れ、ロータ室に流れた液体はロータの外周に沿って流れる。
【先行技術文献】
【特許文献】
【０００４】
【特許文献１】特開２００３−３１４４８５号公報
【発明の概要】
【発明が解決しようとする課題】
【０００５】
ところで、このようなキャンドポンプでは、キャンドポンプ内を流れる液体に、様々な原因による異物が含まれている。そのため、ポンプ室からロータ室に流れる液体にも異物が含まれ、この異物がロータの外周に付着してロータの回転を妨げる。
【０００６】
そこで、上記課題を解決するために、本発明は、液体に含まれる異物がロータ室のロータの外周に付着するのを抑制するキャンドポンプを提供することを目的とする。
【課題を解決するための手段】
【０００７】
上記の目的を達成するため、本発明にかかるキャンドポンプは、ポンプ室と、ロータが設けられたロータ室とが連通して設けられ、前記ロータ室から前記ポンプ室に亘ってシャフトが設けられ、前記シャフトに、シャフト孔が貫通形成され、前記ロータが、前記シャフトを回転軸として前記シャフトに固定され、前記ロータに、ロータ孔が貫通形成され、前記ポンプ室と前記ロータ室とを液体で満たした状態で、前記ポンプ室から液体が前記ロータ室に流れ、前記ロータ室に流れた液体が、前記ロータのロータ孔を通り前記シャフトのシャフト孔に流れて前記ポンプ室に戻る循環流路を有することを構成とする。
【０００８】
本発明によれば、前記ポンプ室と前記ロータ室が連通して設けられ、前記ロータ室から前記ポンプ室に亘って前記シャフトが設けられ、前記シャフトにシャフト孔が貫通形成され、前記ロータが、前記シャフトを回転軸として前記シャフトに固定され、前記ロータにロータ孔が貫通形成され、前記循環流路を有するので、前記ロータの外周を介して前記シャフトのシャフト孔に流れる液体の流量を抑えることが可能となる。その結果、液体に含まれる異物が前記ロータの外周に異物が付着するのを抑制することが可能となる。
【０００９】
前記構成において、前記シャフト孔は、前記シャフトの軸方向に沿って形成されてもよい。
【００１０】
この場合、前記シャフト孔が前記シャフトの軸方向に沿って形成されるので、前記シャフト孔を介して前記ロータ室に流れる液体を効率良く前記ポンプ室に戻すことが可能となる。
【００１１】
前記構成において、前記ポンプ室には、羽根車が設けられ、前記羽根車が、前記シャフトを回転軸として前記シャフトまたは前記ロータに固定され、前記ポンプ室と前記ロータ室とを液体で満たした状態で前記ロータを回転駆動させ、前記ロータの回転により前記羽根車を回転させた際、前記ポンプ室から液体が前記ロータ室に流れ、前記ロータ室に流れた液体が、前記ロータのロータ孔を通り前記シャフトのシャフト孔に流れて前記ポンプ室に戻る循環流路を有してもよい。
【００１２】
この場合、前記ポンプ室には前記羽根車が設けられ、前記羽根車が前記シャフトを回転軸として前記シャフトまたは前記ロータに固定され、前記循環流路では、前記ポンプ室と前記ロータ室とを液体で満たした状態で前記ロータを回転駆動させ、前記ロータの回転により前記羽根車を回転させた際、前記ポンプ室から液体が前記ロータ室に流れ、前記ロータ室に流れた液体が、前記ロータのロータ孔を通り前記シャフトのシャフト孔に流れて、前記ポンプ室に戻るので、前記ロータの回転と前記羽根車の回転を同期させて、前記循環流路における液体の循環を効率良く行うことが可能となる。
【００１３】
上記の目的を達成するため、本発明にかかる別のキャンドポンプは、羽根車が設けられたポンプ室と、ロータが設けられたロータ室と、が連通して設けられ、前記ロータ室から前記ポンプ室に亘ってシャフトが設けられ、軸受と前記羽根車と前記ロータとが一体的に設けられ、前記羽根車と前記ロータとが前記シャフトを回転軸とし前記軸受を介して回転し、前記ロータに、ロータ孔が貫通形成され、前記ポンプ室と前記ロータ室とを液体で満たした状態で、前記ポンプ室から液体が前記ロータ室に流れ、前記ロータ室に流れた液体が、前記ロータのロータ孔を通り、前記軸受と前記シャフトとの摺動面に流れて前記ポンプ室に戻る循環流路を有することを構成とする。
【００１４】
本発明によれば、前記ポンプ室と前記ロータ室とが連通して設けられ、前記ロータ室から前記ポンプ室に亘って前記シャフトが設けられ、前記ポンプ室に前記羽根車が設けられ、前記軸受と前記羽根車と前記ロータとが一体的に設けられ、前記羽根車と前記ロータとが前記シャフトを回転軸とし前記軸受を介して一体的に回転し、前記ロータにロータ孔が貫通形成され、前記循環流路を有するので、前記ロータの外周を介して前記軸受と前記シャフトとの摺動面に流れる液体の流量を抑えることが可能となる。その結果、液体に含まれる異物が前記ロータの外周に異物が付着するのを抑制することが可能となる。
【００１５】
前記構成において、前記ロータ孔は、前記ロータの回転軸方向に沿って形成されてもよい。
【００１６】
この場合、前記ロータ孔が前記ロータの回転軸方向に沿って形成されるので、前記ロータ室に流れる液体を効率良く前記ロータ孔に導くことが可能となる。
【００１７】
前記構成において、前記ロータ孔は、前記ロータの回転軸を軸にして、前記ロータの回転方向に沿って螺旋状に形成されてもよい。
【００１８】
この場合、前記ロータ孔が、前記ロータの回転軸を軸にして、前記ロータの回転方向に沿って螺旋状に形成されるので、液体に前記ロータの回転力が働いても、液体は前記回転力に逆らうことなく前記ロータ孔をスムーズに通ることが可能となる。
【００１９】
前記構成において、前記ロータ孔の開口端は、円形に形成されてもよい。
【００２０】
この場合、前記ロータ孔の開口端が円形に形成されるので、前記ロータ室に流れる液体を効率良く前記シャフトのシャフト孔に導くことが可能となる。
【００２１】
前記構成において、前記ロータ孔の開口端は、扇形に形成されてもよい。
【００２２】
この場合、前記ロータ孔の開口端が扇形に形成されるので、前記ロータ室に流れる液体を効率良く前記シャフトのシャフト孔に導くことが可能となる。
【００２３】
前記構成において、前記ポンプ室と前記ロータ室との間に、前記ポンプ室と前記ロータ室とを隔てるブラケットが設けられ、液体中に含まれる異物を液体から分離させて集積する集積部の集積入口が前記ブラケットに形成されてもよい。
【００２４】
この場合、前記ポンプ室と前記ロータ室との間に前記ブラケットが設けられ、前記集積部の集積入口が前記ブラケットに形成されているので、前記ポンプ室内における前記ブラケットの集積入口に、液体に含まれる異物を集積して除去することが可能となる。その結果、前記ロータ室への異物の侵入を抑制することが可能となる。
【００２５】
また、前記集積入口から前記集積部に液体に含まれる異物を集積するので、前記ポンプ室内の異物を減少させることが可能となり、前記ポンプ室内の壁面（内壁）に液体中の異物が接触することによる前記ポンプ室の破損を抑制することが可能となる。
【００２６】
また、前記集積部が設けられることで、液体中の異物を除去するフィルタが不要となることから、液体の流れを妨げるものがなくなり、フィルタによるポンプ効率の低下を防止することが可能となる。
【００２７】
前記構成において、前記ブラケットに、前記ポンプ室と前記ロータ室とを連通する連通孔が形成され、前記ブラケットの中心に前記シャフトが配され、前記集積入口は、前記連通孔よりも前記ブラケットの中心から外方に配されてもよい。
【００２８】
この場合、前記ブラケットに前記連通孔が形成され、前記ブラケットの中心に前記シャフトが配され、前記集積入口は、前記連通孔よりも前記ブラケットの中心から外方に配されるので、前記羽根車の回転により前記ポンプ室内の液体が回転し、この回転によって生じる遠心力により液体に含まれる異物を前記ブラケットの中心に対して外方に移動させて前記集積入口から前記集積部に集積し、前記連通孔に異物が移動するのを抑制することが可能となる。その結果、異物が前記ロータ室に入るのを防止することが可能となる。
【発明の効果】
【００２９】
本発明にかかるキャンドポンプによれば、液体に含まれる異物がロータ室のロータの外周に付着するのを抑制することが可能となる。
【図面の簡単な説明】
【００３０】
【図１】本実施形態にかかるキャンドポンプの、内部の一部を公開した概略側面図である。
【図２】本実施形態にかかるロータの概略断面図である。
【図３】本実施形態にかかるブラケットの概略平面図である。
【図４】図３に示すＡ−Ａ線断面図である。
【図５】他の実施形態にかかるキャンドポンプの、内部の一部を公開した概略側面図である。
【図６】他の実施形態にかかるキャンドポンプの、内部の一部を公開した概略側面図である。
【図７】他の実施形態にかかるロータの概略平面図である。
【図８】他の実施形態にかかるロータの概略斜視図である。
【図９】図８に示すロータの概略側面図である。
【図１０】他の実施形態にかかるブラケットの概略平面図である。
【図１１】図１０に示すＢ−Ｂ線断面図である。
【図１２】他の実施形態にかかるブラケットの概略平面図である。
【図１３】図１２に示すＣ−Ｃ線断面図である。
【図１４】他の実施形態にかかるブラケットの概略平面図である。
【図１５】図１４に示すＤ−Ｄ線断面図である。
【図１６】他の実施形態にかかるブラケットの概略平面図である。
【図１７】図１６に示すＥ−Ｅ線断面図である。
【図１８】他の実施形態にかかるブラケットの概略平面図である。
【図１９】図１８に示すＦ−Ｆ線断面図である。
【発明を実施するための形態】
【００３１】
以下、本発明の実施形態（本実施形態）について図面を参照して説明する。なお、以下に示す実施形態では、キャンドポンプとして直接駆動式の渦巻ポンプのキャンドポンプに本発明を適用した場合を示す。
【００３２】
本実施形態にかかるキャンドポンプ１は、図１に示すように、液体を吸入し吐出する羽根車（以下、インペラ５という）が設けられたポンプ部２と、インペラ５を回転駆動させるモータ部３とから構成されている。このキャンドポンプ１の本体筐体であるケーシング１１内には、ポンプ部２とモータ部３とを隔てる隔壁（具体的には下記のポンプ室２１とロータ室３２とを隔てる隔壁）であるブラケット４が設けられている。
【００３３】
ポンプ部２には、ケーシング１１とブラケット４とから成形されるポンプ室２１と、液体を外部から吸入する吸入部２２と、液体を外部に吐出する吐出部２３とが設けられている。
【００３４】
ポンプ室２１内には、液体を当該ポンプ室２１内外に送るインペラ５が設けられている。インペラ５は、下記のシャフト９のポンプ側先端９３にネジ等により固定され、さらに吸入部２２に係合され、インペラ５が、反時計回りに回転する（図３に示す回転方向５１参照）。このインペラ５により、吸入部２２から吸入した液体を吐出部２３に送るポンプ室内流路２４が形成される。
【００３５】
モータ部３には、インペラ５を駆動するためのモータが設けられている。このモータは、固定子であるステータ６と、回転子であるロータ７とから構成されている。ステータ６はステータ室３１に配され、ロータ７はロータ室３２に配され、ロータ室３２の周りにステータ室３１が隣接して配されている。
【００３６】
ステータ室３１は、図１に示すように、ケーシング１１と、左右のステータ室側部１２，１３と、ロータ室３２との境界壁面である境界壁部１４とにより成形され、このステータ室３１内に、界磁コイル６１が配されている。
【００３７】
ロータ室３２は、ケーシング１１と、ポンプ室２１と隔てるブラケット４と、ステータ室３１との境界である境界壁部１４とから成形されている。
【００３８】
ロータ室３２内に配されたロータ７は、図１，２に示すように、円筒状体からなり、外周７１に希土類磁石からなるマグネット７２が設けられている。また、ロータ７の回転軸方向に沿って中心部７３が貫通形成され、この貫通形成された中心部７３にシャフト９が挿通されてシャフト９にロータ７が固定され、ロータ７はシャフト９を回転軸としている。また、ロータ７の中心部７３の外方には、ロータ孔７４が、ロータ７の回転軸方向に沿って貫通形成されている。ロータ孔７４の断面形状および開口端７５は、円形に形成されている。なお、図１に示すように、シャフト９に固定されたロータ７の外周７１と境界壁部１４との間にはギャップが形成される（生じる）。
【００３９】
ポンプ室２１とロータ室３２との間には、ロータ７とインペラ５とを隔てる隔壁であるブラケット４が設けられ、ブラケット４の連通孔４１（下記参照）を介してポンプ室２１とロータ室３２とが連通している。
【００４０】
ブラケット４には、図１，３，４に示すように、ポンプ室２１とロータ室３２とを連通する連通孔４１と、ポンプ室２１内における液体中の異物を液体から分離させて集積し、異物をポンプ室２１から除去させる集積部８の集積孔８１（本発明でいう集積入口）と、軸受９１へ液体を流す流通孔４２と、が形成されている。
【００４１】
また、このブラケット４には、異物を集積させるための集積部８の一面を形成し、ブラケット４をステータ室側部１２に係合するステータ係合部４３と、ブラケット４を軸受９１に係合する軸受係合部４４とが、ポンプ室２１とロータ室３２との隔壁を構成する壁部４５から突出形成されている。具体的には、キャンドポンプ１のケーシング１１内において、ステータ係合部４３と軸受係合部４４とは、壁部４５からモータ部３側に突出している。
【００４２】
集積部８は、ブラケット４のモータ部３側の面と、ケーシング１１と、ステータ室側部１２とから成形される。この集積部８の集積孔８１は、ブラケット４に形成されている。ブラケット４における集積孔８１の位置に関して、集積孔８１は、ブラケット４の中心に対して連通孔４１よりも外方に配され、インペラ５の径方向であってその外方に配されている。なお、集積部８は、図１に示すように、ポンプ部２のポンプ室２１外に設けられている。
【００４３】
また、キャンドポンプ１では、モータ部３のロータ室３２からポンプ部２のポンプ室２１に亘ってシャフト９が設けられている。
【００４４】
シャフト９には、ロータ室３２に設けられたロータ７が固定され、ポンプ室２１に設けられたインペラ５がネジ等により固定され、軸受９１によりブラケット４に軸支され、軸受９２によりケーシング１１に軸支されている。このシャフト９（の軸）は、ロータ７およびインペラ５の回転軸となり、運転時、ロータ７とインペラ５とシャフト９とが共に同じ回転速度で回転する。また、シャフト９の中央部９４には、その軸方向に沿ってシャフト孔９５が貫通形成されている。なお、シャフト孔９５の開口端９６は、円形となっている。
【００４５】
上記構成からなるキャンドポンプ１では、ポンプ室２１とロータ７室とを液体で満たした状態でステータ６によりロータ７を回転駆動させる。ロータ７の回転によりシャフト９を回転させ、シャフト９を介してインペラ５を回転させる。インペラ５の回転により、ポンプ室２１内では外部から液体を吸入部２２から吸入し吐出部２３から外部に吐出させる。また、インペラ５を回転させることで、ポンプ室２１から液体の一部がロータ室３２に流れ、ロータ室３２に流れた液体は、ロータ７のロータ孔７４および外周７１や、軸受９１，９２とシャフト９との摺動面（すべり面）を通りシャフト９のシャフト孔９５に流れて、ポンプ室に戻る。この時のロータ室３２内における液体の流路をロータ室内流路３３とし、液体が、ポンプ室２１からロータ室３２に流れ、ロータ室３２からポンプ室２１に戻る液体の流路を、循環流路１５とする。なお、インペラ５の回転方向は、図３のブラケット４の回転方向と同様に、反時計回りとなり、ポンプ室２１内における液体の流れ方向は、インペラ５の回転方向と同じである。また、ロータ室３２では、液体は圧力が低い側に流れるので、ロータ７の外周７１よりもロータ７のロータ孔７４に液体が流れる。
【００４６】
また、循環流路１５に関してさらに詳説すると、インペラ５から吐出された（送られた）液体の一部は、ブラケット４の連通孔４１、流通孔４２、および軸受９１とシャフト９との摺動面を介してポンプ室２１からロータ室３２に流れ、ロータ室３２では、ロータ７の外周７１およびロータ孔７４、軸受９２とシャフト９との摺動面が流れる。そのため、ロータ室３２に流れる液体によって、軸受９１，９２とシャフト９との摩耗を低減させて、シャフト９の回転を潤滑に行う。これらロータ７の外周７１，ロータ孔７４、および軸受９１，９２とシャフト９との摺動面を流れた液体は、シャフト９のシャフト孔９５に流れてシャフト孔を通り、ポンプ室２１の低圧となるシャフト９のポンプ側先端９３からポンプ室２１に戻る。
【００４７】
また、キャンドポンプ１では、異物が含まれた液体を送水する際、ポンプ室２１内のインペラ５によって送られた液体の一部は、ブラケット４の連通孔４１や流通孔４２を通ってロータ室３２に流れる前に、集積孔８１を通って集積部８に液体に含まれる異物が集積される。そのため、ロータ室３２に流れる液体に含まれる異物は減少する。さらに、ロータ室３２ではロータ７のロータ孔７４への液体の流路が形成されているので、ロータ７の外周７１へ流れる液体の量を減少させることができる。
【００４８】
上記したように、このキャンドポンプ１では、ステータ６によりロータ７を駆動し、それに伴いシャフト９を介してインペラ５を回転させることにより、軸受９１，９２とシャフト９との摩耗を低減させた状態でポンプ室２１において液体の送水が可能となる。
【００４９】
本実施形態にかかるキャンドポンプ１によれば、ポンプ室２１とロータ室３２とが連通して設けられ、ロータ７が固定され、ロータ７の回転軸として構成されたシャフト９が、ロータ室３２からポンプ室２１に亘って設けられ、シャフト９には、シャフト孔９５が貫通形成され、ロータ７には、ロータ孔７４が貫通形成され、循環流路１５を有するので、ロータ７の外周７１を介してシャフト９のシャフト孔９５に流れる液体の流量を抑えることができる。その結果、ロータ７の外周７１に異物が付着するのを抑制することができ、異物によりロータ室３２を構成するロータ室３２の内壁面に損傷を与えるのを防止することができる。また、液体に含まれる異物によりロータ室３２、およびロータ室３２内の部材（例えば、軸受９１，９２、ロータ７など）が損傷するのを抑えることができ、キャンドポンプ１の高信頼性が得られる。
【００５０】
また、本実施形態によれば、シャフト孔９５がシャフト９の軸方向に沿って形成されるので、ロータ室３２に流れる液体を効率良くシャフト孔９５を介してポンプ室２１に戻すことができる。
【００５１】
また、本実施形態によれば、ポンプ室２１にインペラ５が設けられ、インペラ５がシャフト９を回転軸としてシャフト９に固定され、循環流路１５を有するので、ロータ７の回転とインペラ５の回転を同期させて、循環流路１５における液体の循環を効率良くすることができる。
【００５２】
また、本実施形態によれば、ロータ孔７４がロータ７の回転軸方向に沿って貫通形成されるので、ロータ室３２に流れる液体を効率良くロータ孔７４に導くことができる。
【００５３】
また、本実施形態によれば、ロータ孔７４の開口端７５が円形に形成されるので、ロータ室３２に流れる液体を効率良くシャフト９のシャフト孔９５に導くことができる。
【００５４】
また、本実施形態によれば、ポンプ室２１とロータ室３２との間にブラケット４が設けられ、集積部８の集積孔８１がブラケット４に形成されているので、ポンプ室２１内におけるブラケット４の集積孔８１に、液体中に含まれる異物を集積して除去することができる。その結果、ロータ室３２への異物の侵入を抑制することができる。また、液体に含まれる異物が付着することによりロータ室３２やポンプ室２１、およびこれら室内の部材（例えば、軸受９１，９２、ロータ７など）が損傷するのを抑えることができ、キャンドポンプ１の高信頼性が得られる。
【００５５】
また、本実施形態によれば、集積孔８１から集積部８に液体中に含まれる異物を集積するので、ポンプ室２１内の異物を減少させることができ、ポンプ室２１内の内壁面に液体中の異物が接触することによるポンプ室２１の破損を抑制することができる。
【００５６】
また、本実施形態によれば、ロータ７にロータ孔７４が形成され、循環流路１５を有するので、異物によってロータ７や軸受９１，９２の損傷を抑制し、キャンドポンプ１の寿命に対する信頼性が向上できる。
【００５７】
また、本実施形態によれば、集積部８が設けられているので、ロータ室３２や軸受９１，９２への異物の進入を抑制することが可能となり、異物によるロータ室３２や軸受９１，９２の損傷を抑制し、キャンドポンプ１の寿命に対する信頼性が向上できる。
【００５８】
また、液体の異物が磁性体である場合、異物がロータ７のマグネット７２に付着するのを抑制することができる。その結果、これらの異物の堆積によるモータ効率及びポンプの全効率の低下を抑制することができる。これに対して、従来のキャンドポンプでは、ロータのマグネットの吸引力よりこの磁性体の異物がロータに付着される。このようにロータの外周に磁性体が付着すると、磁気力が低下してモータ効率が低下する。また、異物の付着量が多くなると、異物がポンプ内壁に接触して液体の漏れを起こす原因にもなる。
【００５９】
また、本実施形態によれば、ブラケット４のポンプ室２１に面する側に液体中の異物を集積させるための集積孔８１が形成され、ブラケット４のロータ室３２に面する側に集積部８が設けられているので、ポンプ室２１外の集積部８に異物が液体から除去されて集積され、循環流路１５を流れる液体に含まれる異物を少なくすることができる。
【００６０】
また、本実施形態によれば、マグネット７２への磁性体異物の付着量が少なくなるので、異物がポンプ室の内壁面（ポンプ内壁）と接触し、ポンプ室の破損による液体の漏れを抑制できるため、高信頼性が得られるなど、従来のキャンドポンプでは有しない優れた効果を奏するものである。
【００６１】
なお、従来のキャンドポンプでは、異物が混入した液体を循環する場合、キャンドポンプの構造上、ロータやインペラの回転軸であるシャフトの軸受の部分に液体が流れるために、異物により軸受が損傷を受け、軸受の寿命が著しく低下する。この異物による損傷を防止するために、循環する液体の入口の部分にフィルタを取付けている。しかしながら、フィルタを取付けることによって液体の流れが妨げられるため、ポンプ効率が低下する。これに対して、本実施形態にかかるキャンドポンプ１によれば、集積部８を設けることで液体中の異物を除去するフィルタが不要となることから、液体の流れを妨げるものがなくなり、フィルタによるポンプ効率の低下を無くすことができる。
【００６２】
また、本実施形態によれば、ブラケット４に連通孔４１が形成され、ブラケット４の中心にシャフト９が配され、集積孔８１が、連通孔４１よりもブラケット４の中心から外方に配されるので、ポンプ室２１内の液体がインペラ５の回転により回転する。この液体の回転によって生じる遠心力によって液体に含まれる異物を、ブラケット４の中心に対して外方に移動させて集積孔８１から集積部８に集積することができる。その結果、連通孔４１に異物が移動するのを抑制することができ、異物がロータ室３２に入るのを防止することができる。
【００６３】
また、本実施形態によれば、集積孔８１はインペラ５の径方向であってその外方に配されるので、液体の比重より大きい異物は、インペラ５を回転させた際にインペラ５の径方向であってその外方に移動し、集積孔８１から集積部８に集積される。その結果、集積効率を向上させることができる。
【００６４】
なお、本実施形態では、キャンドポンプ１として、直接駆動式の渦巻ポンプのキャンドポンプを用いているが、これに限定されるものではなく、キャンドポンプであれば、マグネット駆動式の渦巻ポンプのキャンドポンプなど、他の形式のキャンドポンプであってもよい。
【００６５】
また、本実施形態では、シャフト９にインペラ５とロータ７とが固定されているが、これに限定されるものではなく、例えば、図５に示すように、インペラ５がロータ７に固定され、インペラ５が固定されたロータ７がシャフト９に固定されてもよい。
【００６６】
また、本実施形態では、シャフト９にインペラ５とロータ７とが固定されているが、これに限定されるものではなく、図６に示すように、軸受９１，９２とインペラ５とロータ７とが一体的に設けられ、インペラ５とロータ７とがシャフト９を回転軸とし軸受９１，９２を介して回転してもよい。
【００６７】
また、本実施形態にかかる循環流路１５では、ポンプ室２１からロータ室３２に流れた液体は、ロータ室３２において、ロータ７の外周７１およびロータ孔７４、軸受９２とシャフト９との摺動面を流れ、シャフト９のシャフト孔９５に流れてシャフト孔９５を通り、ポンプ室２１の低圧となるシャフト９のポンプ側先端９３からポンプ室２１に戻るが、これに限定されるものではなく、ポンプ室２１からロータ室３２に流れた液体は、ロータ室３２において、ロータ７の外周７１およびロータ孔７４を流れ、軸受９２とシャフト９との摺動面と、軸受９１とシャフト９との摺動面とに流れてポンプ室２１に戻ってもよい。なお、この循環流路１５は、軸受９１，９２とインペラ５とロータ７とが一体的に設けられ、インペラ５とロータ７とが軸受９１，９２を介して回転する他の実施形態（例えば、図６に示す実施形態）において好適である。この他の実施形態によれば、ポンプ室２１とロータ室３２とが連通して設けられ、ロータ室３２からポンプ室２１に亘ってシャフト９が設けられ、ポンプ室２１にはインペラ５が設けられ、軸受９１，９２とインペラ５とロータ７とが一体的に設けられ、インペラ５とロータ７とがシャフト９を回転軸とし軸受９１，９２を介して回転し、ロータ７には、ロータ孔７４が貫通形成される。そして、この他の実施形態によれば、ポンプ室２１とロータ室３２とを液体で満たした状態で、ポンプ室２１から液体がロータ室３２に流れ、ロータ室３２に流れた液体は、ロータ室３２において、ロータ７の外周７１およびロータ孔７４を流れ、軸受９２とシャフト９との摺動面と、軸受９１とシャフト９との摺動面とに流れてポンプ室２１に戻る循環流路１５を有するので、ロータ７の外周を介して軸受９１，９２とシャフト９との摺動面に流れる液体の流量を抑えることができる。その結果、液体に含まれる異物がロータ７の外周に異物が付着するのを抑制することができ、異物によりロータ室３２を構成するロータ室３２の内壁面に損傷を与えるのを防止することができる。また、液体に含まれる異物によりロータ室３２、およびロータ室３２内の部材（例えば、軸受９１，９２、ロータ７など）が損傷するのを抑えることができ、キャンドポンプ１の高信頼性が得られる。
【００６８】
また、本実施形態では、ロータ孔７４の開口端７５が円形に形成されているが、これに限定されるものではなく、液体を流す形状であって、所望のロータ７の強度を有していれば任意の形状のロータ孔７４が貫通形成されてもよく、例えば図７に示すように、ロータ孔７４の断面形状および開口端７５が扇形に形成されてもよい。この場合、ロータ孔７４の断面形状および開口端７５が扇形に形成されるので、ロータ室３２に流れる液体を効率良くシャフト９のシャフト孔９５に導くことができる。
【００６９】
また、本実施形態では、ロータ孔７４が、図１，２に示すようにロータ７の回転軸方向に沿って貫通形成されているが、これに限定されるものではなく、図８、９に示すように、ロータ孔７４は、ロータ７の回転軸に沿って、かつ、ロータ７の回転軸を軸にして、ロータ７の回転方向に螺旋状に形成されてもよい。この場合、ロータ孔７４内の液体にロータ７の回転力が働いても、液体は回転力に逆らうことなくロータ孔７４をスムーズに通ることができる。
【００７０】
また、本実施形態では、集積孔８１をブラケット４の外周端４６に形成しているが、これに限定されるものではなく、他の位置であってもよい。具体的に、図１０，１１に示すブラケット４であってもよい。図１０，１１に示すブラケット４では、その中心に対して、集積孔８１が外周端４６よりも内方であって連通孔４１よりも外方に配されている。
【００７１】
また、本実施形態では、集積孔８１をブラケット４に１つ形成しているが、これに限定されるものではなく、複数設けられてもよい。具体的に、図１２，１３に示すブラケット４であってもよい。図１２，１３に示すブラケットでは、集積孔８１が２つ形成され、ブラケット４の中心を中心点として９０度の角度を有してブラケット４の外周端４６に形成されている。この場合、集積孔８１がブラケット４に複数形成されているので、ポンプ室２１に送られる液体が、インペラ５の外径の一箇所からではなく、インペラ５の外径の全周から送られ、その結果、集積効率を向上させることができる。
【００７２】
また、図１２，１３に示す形態では、２つの集積孔８１がブラケット４の中心を中心点として９０度の角度を有してブラケット４の外周端４６に形成されているが、これに限定されるものではなく、図１４，１５に示すように、２つの集積孔８１がブラケット４の中心の対称位置であるブラケット４の外周端４６に対象配置されてもよい。この場合、集積孔８１はブラケット４の中心に対して対称配置されるので、ポンプ室２１内の液体がインペラ５の回転により回転することによって各集積部８に均等に異物を集積することができ、各集積部８における集積能力を均等化することができる。その結果、集積効率を向上させることができる。また、集積部８の集積孔８１が対称的に設けられているので、集積部８の設置位置の偏りなどの、設置方向の影響を抑制することができる。
【００７３】
また、上記した図１２〜１５では、２つの集積孔８１をブラケット４に形成した形態を示しているが、図１６，１７に示すように４つの集積孔８１をブラケット４に形成してもよい。この場合、集積孔８１はブラケット４の中心に対してブラケット４の外周に４点等間隔に配置されるので、ポンプ室２１内の液体がインペラ５の回転により回転することによって各集積部８に均等に異物を集積するのに好適である。また、この図１６，１７に示すブラケット４では、集積孔８１が、集積部８を構成する外周辺８２（具体的に図１６に示す上辺）の中央部８３に形成されている。この場合、インペラ５の回転方向が時計回りもしくは時計反対回りのどちらであっても、同じ集積効果があるので、インペラ５の回転方向に関係なく、キャンドポンプ１の部品の共用化が可能であり、その結果、原価低減が可能となる。
【００７４】
また、上記した図３，４，１２〜１７に示す形態では、集積孔８１の開口端８４は、ブラケット４の平面視において左右対称の形状とされているが、これに限定されるものではなく、図１８，１９に示すように、ブラケット４の平面視において集積孔８１の開口端８４が左右非対称の形状となってもよい。なお、この集積孔８１の開口端８４は、上記した本実施形態や、他の実施形態にも採用してもよい。
【００７５】
図１８，１９に示すブラケット４の平面視における集積孔８１の開口端８４は、インペラ５の回転方向５１に沿って漸次拡がる形状となっている。この場合、インペラ５の回転方向に流れているポンプ室２１内の液体の集積効率を向上させることができる。
【００７６】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００７７】
本発明は、キャンドポンプに適用できる。
【符号の説明】
【００７８】
１  キャンドポンプ
１１  ケーシング
１２，１３  ステータ室側部
１４  境界壁部
１５  循環流路
２  ポンプ部
２１  ポンプ室
２２  吸入部
２３  吐出部
２４  ポンプ内流路
３  モータ部
３１  ステータ室
３２  ロータ室
３３  ロータ室内流路
４  ブラケット
４１  連通孔
４２  流通孔
４３  ステータ係合部
４４  軸受係合部
４５  壁部
４６  外周端
５  インペラ
５１  回転方向
６  ステータ
６１  界磁コイル
７  ロータ
７１  外周
７２  マグネット
７３  中心部
７４  ロータ孔
７５  ロータ孔の開口端
８  集積部
８１  集積孔
８２  外周辺
８３  外周辺の中央部
８４  集積孔の開口端
９  シャフト
９１，９２  軸受
９３  ポンプ側先端
９４  中央部
９５  シャフト孔
９６  シャフト孔の開口端
【図１】
2011174410.tif 000003
【図２】
2011174410.tif 000004
【図３】
2011174410.tif 000005
【図４】
2011174410.tif 000006
【図５】
2011174410.tif 000007
【図６】
2011174410.tif 000008
【図７】
2011174410.tif 000009
【図８】
2011174410.tif 000010
【図９】
2011174410.tif 000011
【図１０】
2011174410.tif 000012
【図１１】
2011174410.tif 000013
【図１２】
2011174410.tif 000014
【図１３】
2011174410.tif 000015
【図１４】
2011174410.tif 000016
【図１５】
2011174410.tif 000017
【図１６】
2011174410.tif 000018
【図１７】
2011174410.tif 000019
【図１８】
2011174410.tif 000020
【図１９】
2011174410.tif 000021